(57)【要約】【課題】衝撃を受けた際に、キャリッジの噛合部がリードスクリューの雄ねじを乗り越えたり、キャリッジの噛合部がリードスクリューの雄ねじに乗り上げたり、キャリッジの噛合部が破損することを確実に防止した駆動装置等を提供することを目的とする。【解決手段】フォーカスレンズ１１３の光軸方向に合わせられた案内方向とは直角な方向に延びる回転軸を持って軸支され、外周に雄ねじ２１１が形成されたリードスクリュー２１０から離間した中立位置に付勢されたストップレバー２３０に、衝撃を受けた際にフォーカスレンズ１１３を保持するフォーカスレンズ保持枠２５０がその回転軸のまわりの回転力を与えて、ストップレバー２３０を回動によりリードスクリュー２１０の雄ねじ２１１の溝に入り込ませ、リードスクリュー２１０の回転に伴って上記案内方向に移動するキャリッジ２２０の移動を妨げる。【選択図】        図４
2008046480.tif 000002
【特許請求の範囲】
【請求項１】
外周に雄ねじが形成されて所定の案内方向に延び正逆自在に回転するリードスクリューと、
前記リードスクリューに噛合し該リードスクリューの回転に伴って前記案内方向に移動するキャリッジと、
前記キャリッジに、前記案内方向とは直角な方向に延びる回転軸を持って軸支され、前記リードスクリューから離間した中立位置に付勢されると共に、回動により該リードスクリューの雄ねじの溝に入り込んで該キャリッジの移動を妨げるストップレバーと、
前記リードスクリューの回転に伴って前記案内方向に移動するキャリッジに前記ストップレバーを介在させて案内され、衝撃を受けた際に該ストップレバーに前記回転軸のまわりの回転力を与えて該ストップレバーを該リードスクリューの雄ねじの溝に入り込ませる被案内部材とを備えたことを特徴とする駆動装置。
【請求項２】
外周に雄ねじが形成されて所定の案内方向に延び正逆自在に回転するリードスクリューと、
前記リードスクリューに噛合し該リードスクリューの回転に伴って前記案内方向に移動されるための噛合部と、該噛合部に隣接し該リードスクリューの雄ねじの溝に入り込んで該雄ねじに干渉する干渉部とを有し、該リードスクリューの回転に伴って該案内方向に移動するキャリッジと、
前記キャリッジに、前記案内方向とは直角な方向に延びる回転軸を持って軸支されると共に、回動により該キャリッジの干渉部を前記リードスクリューに押圧して該キャリッジの移動を妨げるストップレバーと、
前記リードスクリューの回転に伴って前記案内方向に移動するキャリッジに前記ストップレバーを介在させて案内され、衝撃を受けた際に該ストップレバーに前記回転軸のまわりの回転力を与えて該ストップレバーにより該キャリッジの干渉部を該リードスクリューに押圧させる被案内部材とを備えたことを特徴とする駆動装置。
【請求項３】
前記被案内部材が、光学部材と該光学部材を保持する光学部材保持枠とを含むものであって、この駆動装置が該光学部材を光軸方向に移動させるものであることを特徴とする請求項１または２記載の駆動装置。
【請求項４】
撮影光学系により被写体光を導き撮像素子上に被写体像を形成して画像データを生成する撮影装置において、
前記撮影光学系のうちの少なくとも一部の光学部材と該光学部材を保持する光学部材保持枠とからなる被案内部材を光軸方向に移動させる駆動装置を備え、
前記駆動装置が、
外周に雄ねじが形成されて前記光軸方向に延び正逆自在に回転するリードスクリューと、
前記リードスクリューに噛合し該リードスクリューの回転に伴って前記光軸方向に移動するキャリッジと、
前記キャリッジに、前記光軸方向とは直角な方向に延びる回転軸を持って軸支され、前記リードスクリューから離間した中立位置に付勢されると共に、回動により該リードスクリューの雄ねじの溝に入り込んで該キャリッジの移動を妨げるストップレバーとを備え、
前記被案内部材が、前記リードスクリューの回転に伴って前記光軸方向に移動するキャリッジに前記ストップレバーを介在させて案内され、衝撃を受けた際に該ストップレバーに前記回転軸のまわりの回転力を与えて該ストップレバーを該リードスクリューの雄ねじの溝に入り込ませるものであることを特徴とする撮影装置。
【請求項５】
撮影光学系により被写体光を導き撮像素子上に被写体像を形成して画像データを生成する撮影装置において、
前記撮影光学系のうちの少なくとも一部の光学部材と該光学部材を保持する光学部材保持枠とからなる被案内部材を光軸方向に移動させる駆動装置を備え、
前記駆動装置が、
外周に雄ねじが形成されて前記光軸方向に延び正逆自在に回転するリードスクリューと、
前記リードスクリューに噛合し該リードスクリューの回転に伴って前記光軸方向に移動されるための噛合部と、該噛合部に隣接し該リードスクリューの雄ねじの溝に入り込んで該雄ねじに干渉する干渉部とを有し、該リードスクリューの回転に伴って該光軸方向に移動するキャリッジと、
前記キャリッジに、前記光軸方向とは直角な方向に延びる回転軸を持って軸支されると共に、回動により該キャリッジの干渉部を前記リードスクリューに押圧して該キャリッジの移動を妨げるストップレバーとを備え、
前記被案内部材が、前記リードスクリューの回転に伴って前記光軸方向に移動するキャリッジに前記ストップレバーを介在させて案内され、衝撃を受けた際に該ストップレバーに前記回転軸のまわりの回転力を与えて該ストップレバーにより該キャリッジの干渉部を該リードスクリューに押圧させるものであることを特徴とする撮影装置。
【発明の詳細な説明】
【技術分野】
【０００１】
本発明は、リードスクリューの回転によってキャリッジを所定の案内方向に移動させる駆動装置、およびこのような駆動装置が備えられた、被写体を撮影する撮影装置に関する。
【背景技術】
【０００２】
従来より、レンズを光軸方向に移動させる駆動装置として、外周に雄ねじを有するいわゆるリードスクリューと、このリードスクリューの雄ねじに噛合する噛合部を有し、リードスクリューの回転に伴ってリードスクリューに沿って移動する、レンズを保持するレンズ保持枠が固定されたキャリッジとで構成された駆動装置が知られている。また、このような駆動装置が備えられた装置として、カメラ等の撮影装置や、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｋ）等といった記録媒体を読み書きする記録再生装置などが知られている。例えば撮影装置における駆動装置は、オートフォーカス機能やズーム機能などを実現するレンズ駆動装置として用いられている。また、例えば記録再生装置における駆動装置は、記録媒体を読み書きする光ピックアップを移動させる光ピックアップ駆動装置として用いられている。
【０００３】
また、この駆動装置におけるキャリッジの中には、キャリッジの噛合部がリードスクリューに当接するようにバネ付勢されたものが知られている。このようなキャリッジは、既に組み立てられたリードスクリューに対して組み込むことができるため、組立性がよいという利点を有する。
【０００４】
ところが、このようなキャリッジとリードスクリューとの噛合い部分に、例えば落下等による衝撃が加わると、キャリッジとリードスクリューとの噛合いが外れ、キャリッジの噛合部がリードスクリューの雄ねじを乗り越えしまったり、キャリッジの噛合部がリードスクリューの雄ねじに乗り上げてキャリッジの移動が不可能となってしまうおそれがある。また、このキャリッジがプラスチックで形成されたものである場合には、キャリッジの噛合部が破損するおそれもある。
【０００５】
また、近年、撮像素子の高画素化が進んできて画素が微細化されてきている。このような撮像素子が備えられた撮影装置において、上述した駆動装置を用いてオートフォーカス機能を実現する場合、キャリッジの送り量を微細化して正確なピント調整を行わないと画像のボケが強調されてしまうおそれがある。キャリッジの送り量の微細化は、例えばリードスクリューの雄ねじのピッチの微細化によって実現される。ところが、リードスクリューの雄ねじのピッチを微細化すると、落下等による衝撃が加わった際の上述した問題が発生し易くなってしまう。
【０００６】
衝撃が加わった際の上述した問題は、キャリッジをリードスクリューに付勢する力量を大きくすることによって対処可能と考えられるが、その力量を大きくすると、通常動作時において、キャリッジの移動における負荷が大きくなってしまうといった欠点を有する。
【０００７】
また、衝撃が加わった際の上述した問題に対処する技術として、リードスクリューに噛合するキャリッジに設けられたハーフナット部における中央部の歯厚はリードスクリューの歯に接触する厚みとし、そのハーフナット部における端部の歯厚は、中央部の歯厚に比べて薄く、かつリードスクリューの歯に接触しない厚みとする技術が提案されている（例えば、特許文献１参照。）。
【０００８】
この特許文献１に提案された技術によれば、外部から衝撃を受けてもリードスクリューに噛み合いしているハーフナット部の歯飛びが起こりにくい。
【０００９】
また、リードスクリューに螺合する金属製の抜止め板を予め組み込んでおき、リードスクリューに噛合するキャリッジに、その抜止め板を回転不能に収納する、スラスト方向の隙間がリードスクリューのピッチの２分の１未満になるような溝部を形成する技術も提案されている（例えば、特許文献２参照。）。
【００１０】
この特許文献２に提案された技術によれば、リードスクリューとキャリッジとの噛合い部分に振動衝撃等が加わって噛み合いがずれるような力が作用しても、その力によるスラスト方向の移動が、抜止め板と連結コマの溝部とによって阻止される。
【特許文献１】特開２０００−２５１４２３号公報
【特許文献２】特開平６−２３０２６０号公報
【発明の開示】
【発明が解決しようとする課題】
【００１１】
上記特許文献１に提案された技術によれば、キャリッジの歯飛びを軽減することはできるものの、確実に防止することは困難である。
【００１２】
また、上記特許文献２に提案された技術は、抜止め板によってリードスクリューとキャリッジとの噛み合いがずれる方向の最大移動量を２分の１ピッチ未満に規制する技術であるため、キャリッジの噛合部がリードスクリューの雄ねじを乗り越えしまったり、キャリッジの噛合部がリードスクリューの雄ねじに乗り上げてキャリッジの移動が不可能となってしまうことは回避されるものの、このキャリッジがプラスチックで形成されたものである場合には、規制された移動範囲内をキャリッジが移動することによってキャリッジの噛合部が破損するおそれがある。
【００１３】
尚、上述した問題は、レンズを移動させる駆動装置や、光ピックアップを移動させる駆動装置のみに限らず、リードスクリューを用いて、そのリードスクリューに噛合するキャリッジを所定の案内方向に移動させる駆動装置一般に当てはまるものである。
【００１４】
本発明は、上記事情に鑑み、衝撃を受けた際に、キャリッジの噛合部がリードスクリューの雄ねじを乗り越えたり、キャリッジの噛合部がリードスクリューの雄ねじに乗り上げたり、キャリッジの噛合部が破損することを確実に防止した駆動装置、およびこのような駆動装置が備えられた撮影装置を提供することを目的とするものである。
【課題を解決するための手段】
【００１５】
上記目的を達成する本発明の駆動装置のうちの第１の駆動装置は、
外周に雄ねじが形成されて所定の案内方向に延び正逆自在に回転するリードスクリューと、
上記リードスクリューに噛合しこのリードスクリューの回転に伴って上記案内方向に移動するキャリッジと、
上記キャリッジに、上記案内方向とは直角な方向に延びる回転軸を持って軸支され、上記リードスクリューから離間した中立位置に付勢されると共に、回動によりそのリードスクリューの雄ねじの溝に入り込んでそのキャリッジの移動を妨げるストップレバーと、
上記リードスクリューの回転に伴って上記案内方向に移動するキャリッジに上記ストップレバーを介在させて案内され、衝撃を受けた際にそのストップレバーに上記回転軸のまわりの回転力を与えてそのストップレバーをそのリードスクリューの雄ねじの溝に入り込ませる被案内部材とを備えたことを特徴とする。
【００１６】
本発明の駆動装置のうちの第１の駆動装置は、上記案内方向とは直角な方向に延びる回転軸を持って軸支され、上記リードスクリューから離間した中立位置に付勢されたストップレバーに、衝撃を受けた際に被案内部材がその回転軸のまわりの回転力を与えて、そのストップレバーを回動によりリードスクリューの雄ねじの溝に入り込ませ、上記キャリッジの移動を妨げるものである。従って、本発明の駆動装置のうちの第１の駆動装置によれば、キャリッジが例えば金属よりも強度が劣るプラスチックからなるものであっても、衝撃を受けた際にストップレバーが回動によりリードスクリューの雄ねじの溝に入り込んでキャリッジの移動が妨げられるため、キャリッジの噛合部がリードスクリューの雄ねじを乗り越えたり、キャリッジの噛合部がリードスクリューの雄ねじに乗り上げたり、キャリッジの噛合部が破損することが確実に防止される。また、通常動作時には、ストップレバーがリードスクリューから離間した中立位置に付勢されているため、キャリッジがスムーズに移動する。
【００１７】
また、上記目的を達成する本発明の駆動装置のうちの第２の駆動装置は、
外周に雄ねじが形成されて所定の案内方向に延び正逆自在に回転するリードスクリューと、
上記リードスクリューに噛合しこのリードスクリューの回転に伴って上記案内方向に移動されるための噛合部と、この噛合部に隣接しそのリードスクリューの雄ねじの溝に入り込んでこの雄ねじに干渉する干渉部とを有し、そのリードスクリューの回転に伴ってその案内方向に移動するキャリッジと、
上記キャリッジに、上記案内方向とは直角な方向に延びる回転軸を持って軸支されると共に、回動によりそのキャリッジの干渉部を上記リードスクリューに押圧してそのキャリッジの移動を妨げるストップレバーと、
上記リードスクリューの回転に伴って上記案内方向に移動するキャリッジに上記ストップレバーを介在させて案内され、衝撃を受けた際にそのストップレバーに上記回転軸のまわりの回転力を与えてそのストップレバーによりそのキャリッジの干渉部をそのリードスクリューに押圧させる被案内部材とを備えたことを特徴とする。
【００１８】
本発明の駆動装置のうちの第２の駆動装置は、上記案内方向とは直角な方向に延びる回転軸を持って軸支されたストップレバーに、衝撃を受けた際に被案内部材がその回転軸のまわりの回転力を与えて、そのストップレバーの回動により上記キャリッジの干渉部を上記リードスクリューに押圧させ、そのキャリッジの移動を妨げるものである。従って、本発明の駆動装置のうちの第２の駆動装置によれば、キャリッジが例えば金属よりも強度が劣るプラスチックからなるものであっても、衝撃を受けた際にストップレバーが回動によりキャリッジの干渉部をリードスクリューに押圧させてキャリッジの移動が妨げられるため、キャリッジの噛合部がリードスクリューの雄ねじを乗り越えたり、キャリッジの噛合部がリードスクリューの雄ねじに乗り上げたり、キャリッジの噛合部が破損することが確実に防止される。また、通常動作時にも、被案内部材が移動することによる慣性力によってストップレバーが回動するおそれがあるものの、この場合大きな加速度は発生しないためにストップレバーの回動量は微量であり、キャリッジの干渉部をリードスクリューに押圧させる力量も僅かであるため、キャリッジの移動における負荷が増大することはない。
【００１９】
ここで、上記本発明の駆動装置は、上記被案内部材が、光学部材とこの光学部材を保持する光学部材保持枠とを含むものであって、この駆動装置がその光学部材を光軸方向に移動させるものであることが好ましい。
【００２０】
ここで、本発明にいう「光学部材」とは、例えばレンズやフィルタなどをいう。
【００２１】
このような好ましい形態によれば、衝撃を受けた際に光学部材が動かなくなってしまう等の不具合が回避され、光学部材の駆動における信頼性が向上する。
【００２２】
上記目的を達成する本発明の撮影装置のうちの第１の撮影装置は、
撮影光学系により被写体光を導き撮像素子上に被写体像を形成して画像データを生成する撮影装置において、
上記撮影光学系のうちの少なくとも一部の光学部材とこの光学部材を保持する光学部材保持枠とからなる被案内部材を光軸方向に移動させる駆動装置を備え、
上記駆動装置が、
外周に雄ねじが形成されて上記光軸方向に延び正逆自在に回転するリードスクリューと、
上記リードスクリューに噛合しこのリードスクリューの回転に伴って上記光軸方向に移動するキャリッジと、
上記キャリッジに、上記光軸方向とは直角な方向に延びる回転軸を持って軸支され、上記リードスクリューから離間した中立位置に付勢されると共に、回動によりそのリードスクリューの雄ねじの溝に入り込んでそのキャリッジの移動を妨げるストップレバーとを備え、
上記被案内部材が、上記リードスクリューの回転に伴って上記光軸方向に移動するキャリッジに上記ストップレバーを介在させて案内され、衝撃を受けた際にそのストップレバーに上記回転軸のまわりの回転力を与えてそのストップレバーをそのリードスクリューの雄ねじの溝に入り込ませるものであることを特徴とする。
【００２３】
本発明の撮影装置のうちの第１の撮影装置は、本発明の駆動装置のうちの第１の駆動装置が備えられたものである。従って、本発明の撮影装置のうちの第１の撮影装置によれば、本発明の駆動装置のうちの第１の駆動装置と同様に、キャリッジが例えば金属よりも強度が劣るプラスチックからなるものであっても、衝撃を受けた際にストップレバーがリードスクリューの雄ねじの溝に入り込んでキャリッジの移動が妨げられるため、キャリッジの噛合部がリードスクリューの雄ねじを乗り越えたり、キャリッジの噛合部がリードスクリューの雄ねじに乗り上げたり、キャリッジの噛合部が破損することが確実に防止される。また、通常動作時には、ストップレバーがリードスクリューから離間した中立位置に付勢されているため、キャリッジがスムーズに移動する。
【００２４】
また、上記目的を達成する本発明の撮影装置のうちの第２の撮影装置は、
撮影光学系により被写体光を導き撮像素子上に被写体像を形成して画像データを生成する撮影装置において、
上記撮影光学系のうちの少なくとも一部の光学部材とこの光学部材を保持する光学部材保持枠とからなる被案内部材を光軸方向に移動させる駆動装置を備え、
上記駆動装置が、
外周に雄ねじが形成されて上記光軸方向に延び正逆自在に回転するリードスクリューと、
上記リードスクリューに噛合しこのリードスクリューの回転に伴って上記光軸方向に移動されるための噛合部と、この噛合部に隣接しそのリードスクリューの雄ねじの溝に入り込んでこの雄ねじに干渉する干渉部とを有し、そのリードスクリューの回転に伴ってその光軸方向に移動するキャリッジと、
上記キャリッジに、上記光軸方向とは直角な方向に延びる回転軸を持って軸支されると共に、回動によりそのキャリッジの干渉部を上記リードスクリューに押圧してそのキャリッジの移動を妨げるストップレバーとを備え、
上記被案内部材が、上記リードスクリューの回転に伴って上記光軸方向に移動するキャリッジに上記ストップレバーを介在させて案内され、衝撃を受けた際にそのストップレバーに上記回転軸のまわりの回転力を与えてそのストップレバーによりそのキャリッジの干渉部をそのリードスクリューに押圧させるものであることを特徴とする。
【００２５】
本発明の撮影装置のうちの第２の撮影装置は、本発明の駆動装置のうちの第２の駆動装置が備えられたものである。従って、本発明の撮影装置のうちの第２の撮影装置によれば、本発明の駆動装置のうちの第２の駆動装置と同様に、キャリッジが例えば金属よりも強度が劣るプラスチックからなるものであっても、衝撃を受けた際にストップレバーが回動によりキャリッジの干渉部をリードスクリューに押圧させてキャリッジの移動が妨げられるため、キャリッジの噛合部がリードスクリューの雄ねじを乗り越えたり、キャリッジの噛合部がリードスクリューの雄ねじに乗り上げたり、キャリッジの噛合部が破損することが確実に防止される。また、通常動作時にも、被案内部材が移動することによる慣性力によってストップレバーが回動するおそれがあるものの、この場合大きな加速度は発生しないためにストップレバーの回動量は微量であり、キャリッジの干渉部をリードスクリューに押圧させる力量も僅かであるため、キャリッジの移動における負荷が増大することはない。
【発明の効果】
【００２６】
本発明によれば、衝撃を受けた際に、キャリッジの噛合部がリードスクリューの雄ねじを乗り越えたり、キャリッジの噛合部がリードスクリューの雄ねじに乗り上げたり、キャリッジの噛合部が破損することを確実に防止した駆動装置、およびこのような駆動装置が備えられた撮影装置が提供される。
【発明を実施するための最良の形態】
【００２７】
以下、図面を参照して本発明の実施の形態を説明する。
【００２８】
ここでは、本発明を、装填された二次電池から電力供給を受けて動作し、撮像素子（ここでは、Ｃｈａｒｇｅ  Ｃｏｕｐｌｅｄ  Ｄｅｖｉｃｅ：ＣＣＤとする）上に被写体の像を結像させて、その被写体を表す撮影画像データを取り込むデジタルカメラに適用した実施形態について説明する。尚、このデジタルカメラは、デジタルカメラ本体に対して光軸方向に進退する沈胴式のレンズ鏡胴を備えたデジタルカメラであって、電源がオンされるとレンズ鏡胴が繰り出され、電源がオフされるとレンズ鏡胴がレンズの焦点距離領域より更に沈胴されて、レンズ先端部がデジタルカメラ本体より突出しないデジタルカメラである。
【００２９】
図１は、本発明の撮影装置の一実施形態であるデジタルカメラ１００を前面斜め上から見た外観斜視図であり、図２は、図１に示すデジタルカメラ１００を背面斜め上から見た外観斜視図である。尚、図１には、レンズ鏡胴が沈胴されてレンズ先端部がデジタルカメラ本体より突出しない非撮影時の状態の図が示されている。
【００３０】
図１に示すように、デジタルカメラ１００の正面の中央部には、外観上、焦点距離の変化に係わるズームレンズや被写体に焦点を合わせるフォーカスレンズなどで構成される撮影レンズ１０１が備えられている。この撮影レンズ１０１は、本発明にいう撮影光学系の一例に相当する。また、このデジタルカメラ１００の前面上部には、撮影者が被写体の位置などを定めるために覗く光学式ファインダ対物窓１０２、およびシャッタレリーズボタン１０５への押下操作に同期して発光する閃光発光装置１０３が備えられている。
【００３１】
また、このデジタルカメラ１００の上面には、スライド式の電源ボタン１０４、およびシャッタレリーズボタン１０５が備えられている。このシャッタレリーズボタン１０５は、半押しおよび全押しの２段階に押下可能である。撮影レンズ１０１内の、本発明にいう光学部材の一例に相当するフォーカスレンズは、本発明にいう光学部材保持枠の一例に相当するフォーカスレンズ保持枠に保持されており、フォーカスレンズ駆動装置によって光軸方向に移動されて撮影画角の中央領域に焦点を合わせる、フォーカス機能によるフォーカシングが連続的に行われていて、シャッタレリーズボタン１０５を半押しすると、フォーカスレンズの位置をその半押しされた時点の位置に固定するフォーカスロックが設定され、シャッタレリーズボタン１０５を全押しすると、シャッタが切られて実際の撮影が行われる。尚、フォーカスレンズ駆動装置については、後で詳しく説明する。
【００３２】
また、デジタルカメラ１００の筐体１００ａの内部には、撮影レンズ１０１の背面に配備されたＣＣＤ１１４（図３参照）が備えられている。撮影レンズ１０１を経由してきた被写体光はＣＣＤ１１４に入射されて電気信号であるアナログの画像信号に変換される。このＣＣＤ１１４は、本発明にいう撮像素子の一例に相当する。
【００３３】
また、図２に示すように、このデジタルカメラ１００の背面には、光学式ファインダ接眼窓１０６と、メニューボタン１０７１と、‘△’マークが記された操作部１０７２ａと‘▽’マークが記された操作部１０７２ｂとからなるズーム操作キー１０７２と、各種選択操作を行う十字キー１０７３と、各種操作によって変更された設定を確定する実行ボタン１０７４と、画像やメニューを表示する液晶ディスプレイ（Ｌｉｑｕｉｄ  Ｃｒｙｓｔａｌ  Ｄｉｓｐｌａｙ：ＬＣＤ）パネル１０８とが備えられている。ズーム操作キー１０７２のうちの‘△’マークが記された操作部１０７２ａを押下すると、押下し続けている間、レンズ鏡胴が沈胴状態から最大繰出状態に向かって移動し、ズーム操作キー１０７２のうちの‘▽’マークが記された操作部１０７２ｂを押下すると、押下し続けている間、レンズ鏡胴が繰出状態から沈胴状態に向かって移動する。
【００３４】
図３は、図１，図２に示すデジタルカメラ１００のブロック図である。
【００３５】
デジタルカメラ１００には、ズームレンズ１１１、モータドライバ１１１ａ、ズームモータ１１１ｂ、アイリス１１２、モータドライバ１１２ａ、絞りモータ１１２ｂ、フォーカスレンズ１１３、モータドライバ１１３ａ、フォーカスモータ１１３ｂ、ＣＣＤ１１４、タイミングジェネレータ１１４ａ、ＣＤＳ−ＡＭＰ１２１、Ａ／Ｄ（Ａｎａｌｏｇ／Ｄｅｇｉｔａｌ）変換部１２２、メモリコントローラ１２３、ＡＦ値判断部１２４、画像信号処理部１２５、ＣＰＵ１２６、ＡＦ検出部１２７、ビデオエンコーダ１２８、メディアコントローラ１２９、ＲＯＭ１３０、Ｅ２ＰＲＯＭ１３１、ＲＡＭ１３２、画像表示装置１４０、シャッタスイッチ１６１、電源スイッチ１６２、メニュースイッチ１６３、および十字キースイッチ１６４が具備されており、さらに、記憶メディア１５０が接続されている。デジタルカメラ１００の内部には、これらの他にも、シャッタなどが備えられているが、これらは、本発明の主題とは無関係であるので図示を省略する。
【００３６】
まず、スイッチについて説明する。
【００３７】
シャッタスイッチ１６１は、図１，図２にも示すシャッタレリーズボタン１０５の押下に同期して２段階に入切されるスイッチであり、一段目のスイッチが入るとフォーカスロックが設定され、二段目のスイッチが入ると被写体の本撮影が行われる。
【００３８】
電源スイッチ１６２は、図１，図２にも示す電源ボタン１０４のスライド操作に同期して入切され、電源スイッチ１６２が入ると、デジタルカメラ１００が駆動される。
【００３９】
メニュースイッチ１６３は、図２にも示すメニューボタン１０７１の押下に同期して、選択可能な複数のメニューを図２に示すＬＣＤパネル１０８に表示／非表示するスイッチである。メニューボタン１０７１が１回押下されてメニュースイッチ１６３が入るとその複数のメニューが表示され、これら複数のメニューの中から所望のメニューが選択可能となる。メニューボタン１０７１が再度押下されてメニュースイッチ１６３が切られると通常撮影機能が有効となる。
【００４０】
十字キースイッチ１６４は、図２にも示すメニューボタン１０７１が押下された後の、図２に示すＬＣＤパネル１０８に各種メニューが表示されている状態では、図２にも示す十字キー１０７３の押下に同期してＬＣＤパネル１０８に表示されるカーソルが移動され、ＬＣＤパネル１０８に表示される複数のメニューの中のいずれかのメニューやメニュー内の項目を選択するスイッチである。ユーザが所望のメニュー内の項目を選択した後に図２に示す実行ボタン１０７４を押下することによってその選択が確定される。
【００４１】
また、ここでは図示しないが、デジタルカメラ１００には、画像表示装置１４０に撮影画像を表示する画像表示スイッチなどといった各種スイッチが備えられている。これらの各スイッチが設定されると、ＣＰＵ１２６に各スイッチの設定状況が伝えられる。
【００４２】
次に、光学系の要素について説明する。
【００４３】
ズームレンズ１１１は、焦点距離の変化に係わるレンズである。尚、本来、デジタルカメラなどといった撮影装置の光学系には複数のレンズが配備され、それら複数のレンズのうち少なくとも１つのレンズがピントの調節に大きく関与し、各レンズの相対位置が焦点距離に関与するが、この図３では、それらの複数のレンズのうち、焦点距離の変化に係わるレンズをズームレンズ１１１として模式的に示しており、ピントの調節に係わるレンズをフォーカスレンズ１１３として模式的に示している。ズームレンズ１１１にはズームモータ１１１ｂが取り付けられており、そのズームモータ１１１ｂはＣＰＵ１４０からの指示に従った指示信号によって駆動される。図２に示すズーム操作キー１０７２の、‘△’マークが記された操作部１０７２ａや、‘▽’マークが記された操作部１０７２ｂが押下されると、ＣＰＵ１４０からの、ズームレンズ１１１を所定の駆動範囲内で移動させる指示に従った指示信号が、モータドライバ１１１ａを介してズームモータ１１１ｂに与えられる。ズームモータ１１１ｂがその指示信号に従って回転すると、ズームレンズ１１１が光軸方向に移動する。尚、デジタルカメラ１００のズーム機能は、光学ズームと電子ズームとの併用で行われており、図２に示すズーム操作キー１０７２のうちの‘△’マークが記された操作部１０７２ａを押下することによって望遠（ＴＥＬＥ）側、‘▽’マークが記された操作部１０７２ｂを押下することによって広角（ＷＩＤＥ）側にズームされる。光学ズーム範囲内の所定のズーム位置に現在調整されていると想定した場合に、‘△’マークが記された操作部１０７２ａを押下し続けると、光学的なズームアップの限界まではズームレンズ１１１の移動などによる光学的なズームアップが行われ、光学的なズームアップの限界を過ぎると、その‘△’マークが記された操作部１０７２ａに対する押下のレベルをＣＰＵ１２６で検出し、電子的なズームアップが行われる。この電子的なズームアップは、この押下のレベルをＣＰＵ１２６で検出し、ＣＣＤ１１４上の拡大範囲を演算によって決定して行われる。
【００４４】
アイリス１１２には、大きさの異なる２つの孔が設けられている。また、アイリス１１２には絞りモータ１１２ｂが取り付けられており、ＣＰＵ１２６からの指示に従った指示信号が、モータドライバ１１２ａを介して絞りモータ１１２ｂに与えられる。絞りモータ１１２ｂがその指示信号に従って回転すると、アイリス１１２に設けられた孔が切り替えられる。このような切り替えによって、被写体光の光量が調整される。
【００４５】
フォーカスレンズ１１３は、被写体に焦点を合わせるためのレンズである。フォーカスレンズ１１３にはフォーカスモータ１１３ｂが取り付けられており、ＣＰＵ１２６からの、例えばフォーカスレンズ１１３を所定の駆動範囲内で移動させる指示に従った指示信号や、フォーカスレンズ１１３を合焦位置に向かわせるための合焦位置の指示に従った指示信号が、モータドライバ１１３ａを介してフォーカスモータ１１３ｂに与えられる。フォーカスモータ１１３ｂがその指示信号に従って回転すると、フォーカスレンズ１１３が光軸方向に移動する。尚、フォーカスレンズ１１３を移動させる移動機構については、後で詳しく説明する。
【００４６】
次に、被写体を撮影し、その撮影画像に信号処理を施す要素について説明する。
【００４７】
デジタルカメラ１００に、図示しない二次電池を装填し、図１〜図３に示す電源ボタン１０４をスライド操作して電源スイッチ１６２が入れられると電源がオンされ、デジタルカメラ１００が駆動される。
【００４８】
デジタルカメラ１００が駆動されると、フォーカスモータ１１３ｂが駆動され、図１に示す撮影レンズ１０１内のフォーカスレンズ１１３が光軸方向に移動されて撮影画角の中央領域に焦点を合わせる、フォーカス機能によるフォーカシングが連続的に行われる。シャッタレリーズボタン１０５が半押しされると、フォーカスレンズ１１３の位置をその半押しされた時点の位置に固定するフォーカスロックが設定され、シャッタレリーズボタン１０５が全押しされると、シャッタが切られて被写体の本撮影が行われる。
【００４９】
ＲＯＭ１３０には、デジタルカメラ１００を動作させる各種プログラムなどが保存されている。
【００５０】
Ｅ２ＰＲＯＭ１３１には、例えば、ユーザによって、各モードそれぞれについて設定された項目情報などが書き込まれて保存される。
【００５１】
ＣＰＵ１２６は、基板１８０（図５，図６参照）上に装着された、半導体集積回路が搭載されたものであって、図１〜図３に示すデジタルカメラ１００の各種要素を制御する。      
【００５２】
ＣＣＤ１１４は、図１の撮影レンズ１０１を通ってきた被写体光を受光して、ＣＰＵ１２６の指示により、被写体光に基づく被写体像を結像し、アナログ信号である被写体信号として読み取る。この被写体信号は、タイミングジェネレータ１１４ａからの指示に従って、ＣＤＳ−ＡＭＰ１２１に出力される。
【００５３】
タイミングジェネレータ１１４ａは、所定時間ごと、あるいは図１，図２にも示すシャッタレリーズボタン１０５が押下されたときに、ＣＣＤ１１４に被写体信号を出力させる指示を送る。
【００５４】
ＣＤＳ−ＡＭＰ１２１は、増幅率を調整してその調整された増幅率で被写体信号を増幅する。
【００５５】
Ａ／Ｄ変換部１２２は、被写体信号をデジタルデータである撮影画像データに変換する。
【００５６】
メモリコントローラ１２３は、撮影画像データの出力先を制御する。
【００５７】
デジタルカメラ１００は、フォーカスレンズ１１３の合焦位置を検出する合焦動作を行うために、本撮影の前にも撮影画像データを生成する。この合焦動作の際の撮影画像データは、解像度が低い一時的なデータであり、ＡＦ検出部１２７やＡＦ値判断部１２４やＲＡＭ１３２に送られる。また、本撮影時に生成される解像度の高い撮影画像データは、ＲＡＭ１３２に送られて書き込まれる。
【００５８】
ＡＦ検出部１２７は、メモリコントローラ１２３から送られてきた解像度の低い撮影画像データを基に、撮影画像のコントラストを検出する。検出されたコントラストは、ＡＦ値判断部１２４に送られる。
【００５９】
ＡＦ値判断部１２４は、ＡＦ検出部１２７から送られてきたコントラストを基にフォーカスレンズ１１３の合焦位置を決定する。決定された合焦位置は、ＣＰＵ１２６に伝えられ、ＣＰＵ１２６からフォーカスレンズ１１３のモータドライバ１１３ａに駆動指示が与えられる。
【００６０】
ＲＡＭ１３２には、撮影時に一時的に蓄えられる撮影画像データなどが書き込まれる。
【００６１】
画像信号処理部１２５は、本撮影時に生成されてＲＡＭ１３２に書き込まれた撮影画像データをＲＡＭ１３２から読み出して、その撮影画像データのＲＧＢレベルの調節、ガンマ調整、圧縮処理などを行う。
【００６２】
ビデオエンコーダ１２８は、ＣＰＵ１２６からの指示に従い、画像信号処理部１２５によって圧縮された撮影画像データを画像表示装置１４０で表示できるデータの形式に変換する。
【００６３】
ビデオエンコーダ１２８によって変換された後の撮影画像データは、画像表示装置１４０に送られ、画像表示装置１４０は、撮影画像データが表す撮影画像をＬＣＤパネル１０８（図２参照）に表示させる。
【００６４】
メディアコントローラ１２９は、記憶メディア１５０への撮影画像データの記憶や読み出しを制御する。
【００６５】
画像表示装置１４０はメニュー画面や撮影画像データが表す撮影画像をＬＣＤパネル１０８（図２参照）に表示させるためのものである。
【００６６】
記憶メディア１５０は、撮影された画像を表す画像データを記憶しておく記憶媒体である。
【００６７】
本実施形態のデジタルカメラ１００は、基本的には以上のように構成されている。
【００６８】
ここで、デジタルカメラ１００における、本発明の一実施形態としての特徴は、撮影レンズ１０１内のフォーカスレンズ１１３を光軸方向に移動させる移動機構にあり、以下、この移動機構について詳述する。
【００６９】
図４は、図３に示すフォーカスレンズ１１３を光軸方向に移動させるフォーカスレンズ駆動装置２００の概略構成図であり、図５は、図４に示すフォーカスレンズ駆動装置２００におけるストップレバー２３０の分解斜視図である。
【００７０】
図４には、本発明の駆動装置の第１実施形態であるフォーカスレンズ駆動装置２００が示されている。
【００７１】
図４に示すフォーカスレンズ駆動装置２００は、図１〜図３に示すデジタルカメラ１００に搭載されたものであって、ＣＰＵ１２６からの指示に従って駆動する。このフォーカスレンズ駆動装置２００には、外周に雄ねじ２１１が形成されて、フォーカスレンズ１１３の光軸方向に合わせられた案内方向に延び正逆自在に回転するリードスクリュー２１０と、このリードスクリュー２１０を正回転方向および逆回転方向に回転させるフォーカスモータ１１３ｂとが備えられている。このリードスクリュー２１０は、本発明にいうリードスクリューの一例に相当する。
【００７２】
また、このフォーカスレンズ駆動装置２００には、リードスクリュー２１０に噛合しリードスクリュー２１０の回転に伴って上記案内方向に移動されるための噛合部２２１と、この噛合部２２１と対向して配設されたバネ部２２２とを有する、プラスチックで形成されたキャリッジ２２０が備えられている。図４に示すように、リードスクリュー２１０が、キャリッジ２２０の噛合部２２１とバネ部２２２との間で弾性を持って挟持されることによって、噛合部２２１がリードスクリュー２１０に当接するようにバネ付勢されている。従って、フォーカスモータ１１３ｂが駆動してリードスクリュー２１０が回転すると、この回転に伴ってキャリッジ２２０がリードスクリュー２１０に沿って移動する。このキャリッジ２２０は、本発明にいうキャリッジの一例に相当する。また、このキャリッジ２２０は、上記案内方向とは直角な方向に凹設されたボルト穴２２３と、ボルト穴２２３に隣接する面に凸設された突起２２４とを有している。
【００７３】
また、図４，図５に示すように、このフォーカスレンズ駆動装置２００には、貫通穴２３１とこの貫通穴２３１に隣接する面に凸設された突起２３２とを有するストップレバー２３０が、捩りバネ２４１を介して貫通穴２３１に挿通されてキャリッジ２２０のボルト穴２２３によって固定されたボルト２４２で、上記案内方向とは直角な方向に延びる回転軸を持って軸支されている。このストップレバー２３０は、捩りバネ２４１の両端が、キャリッジ２２０に凸設された突起２２４と、ストップレバー２３０に凸設された突起２３２との双方に引っ掛かるように取り付けられることによって、リードスクリュー２１０から離間した中立位置に付勢されている。また、このストップレバー２３０は、回動によりリードスクリュー２１０の雄ねじ２１１の溝に入り込んでキャリッジ２２０の移動を妨げる干渉部２３３を有する。このストップレバー２３０は、本発明にいうストップレバーの一例に相当する。また、このストップレバー２３０は、フォーカスレンズ保持枠２５０が連結される連結部２３４を有する。
【００７４】
また、図４に示すように、このフォーカスレンズ駆動装置２００には、一方の端部２５１がストップレバー２３０の連結部２３４に連結された、フォーカスレンズ１１３を保持するフォーカスレンズ保持枠２５０が備えられている。このフォーカスレンズ保持枠２５０は、上記一方に対する他方の端部２５２がガイド軸２６０に係合している。このフォーカスレンズ１１３は、本発明にいう光学部材の一例に相当し、このフォーカスレンズ保持枠２５０は、本発明にいう光学部材保持枠の一例に相当する。また、このフォーカスレンズ１１３とフォーカスレンズ保持枠２５０とを合わせたものは、本発明にいう被案内部材の一例に相当する。
【００７５】
通常動作時においては、フォーカスレンズ駆動装置２００が搭載されたデジタルカメラ１００のＣＰＵ１２６からの、例えばフォーカスレンズ１１３を所定の駆動範囲内で移動させる指示に従った指示信号や、フォーカスレンズ１１３を合焦位置に向かわせるための合焦位置の指示に従った指示信号が、モータドライバ１１３ａを介してフォーカスモータ１１３ｂに与えられると、その指示信号に従ってフォーカスモータ１１３ｂが駆動し、リードスクリュー２１０が正回転方向に回転されると、この回転に伴ってキャリッジ２２０はフォーカスモータ１１３ｂに向かう正移動方向に移動し、ストップレバー２３０を介在させてフォーカスレンズ１１３が光軸方向に移動する。また、リードスクリュー２１０が逆回転方向に回転されると、この回転に伴ってキャリッジ２２０はフォーカスモータ１１３ｂから遠ざかる逆移動方向に移動し、ストップレバー２３０を介在させてフォーカスレンズ１１３が光軸方向に移動する。尚、通常動作時には、ストップレバー２３０がリードスクリュー２１０から離間した中立位置に付勢されているため、キャリッジ２２０がスムーズに移動する。
【００７６】
ここで、従来、デジタルカメラを落下した場合などには、落下の衝撃によってフォーカスレンズを保持するフォーカスレンズ保持枠に強い慣性力が作用し、キャリッジの噛合部がリードスクリューの雄ねじを乗り越えたり、キャリッジの噛合部がリードスクリューの雄ねじに乗り上げたり、キャリッジの噛合部が破損するおそれがあった。
【００７７】
しかし、第１実施形態のフォーカスレンズ駆動装置２００では、フォーカスレンズ保持枠２５０がストップレバー２３０に連結されているため、デジタルカメラ１００の落下等の衝撃によってフォーカスレンズ１１３を保持するフォーカスレンズ保持枠２５０に強い慣性力（例えば矢印Ａ方向）が作用すると、ストップレバー２３０に上記回転軸のまわりの回転力（例えば矢印Ｂ方向）が与えられて、ストップレバー２３０の干渉部２３３がリードスクリュー２１０の雄ねじ２１１の溝に入り込む。その結果、フォーカスモータ１１３ｂの回転が停止され、キャリッジ２２０の移動も停止される。
【００７８】
以上説明したように、キャリッジ２２０が例えば金属よりも強度が劣るプラスチックからなるものであっても、衝撃を受けた際にストップレバー２３０が回動によりリードスクリュー２１０の雄ねじ２１１の溝に入り込んでキャリッジ２２０の移動が妨げられるため、キャリッジ２２０の噛合部２２１がリードスクリュー２１０の雄ねじ２１１を乗り越えたり、キャリッジ２２０の噛合部２２１がリードスクリュー２１０の雄ねじ２１１に乗り上げたり、キャリッジ２２０の噛合部２２１が破損することが確実に防止される。従って、衝撃を受けた際にフォーカスレンズ１１３が動かなくなってしまう等の不具合が回避され、デジタルカメラ１００のフォーカスレンズ１１３駆動における信頼性が向上する。
【００７９】
以上で、本発明の第１実施形態の説明を終了し、本発明の第２実施形態について説明する。
【００８０】
尚、以下説明する第２実施形態では、上述した第１実施形態における要素と同じ要素については同じ符号を付して説明を省略し、第１実施形態との相違点についてのみ説明する。
【００８１】
図６は、本発明の第２実施形態であるフォーカスレンズ駆動装置３００の概略構成図であり、図７は、図６に示すフォーカスレンズ駆動装置３００におけるリードスクリュー２１０とキャリッジ３２０とストップレバー３３０の分解斜視図である。
【００８２】
図６には、本発明の駆動装置の第２実施形態であるフォーカスレンズ駆動装置３００が示されている。
【００８３】
図６に示すフォーカスレンズ駆動装置３００には、外周に雄ねじ２１１が形成されて、フォーカスレンズ１１３の光軸方向に合わせられた案内方向に延び正逆自在に回転するリードスクリュー２１０と、このリードスクリュー２１０を正回転方向および逆回転方向に回転させるフォーカスモータ１１３ｂとが備えられている。このリードスクリュー２１０は、本発明にいうリードスクリューの一例に相当する。
【００８４】
また、図６，図７に示すように、このフォーカスレンズ駆動装置３００には、リードスクリュー２１０に噛合しリードスクリュー２１０の回転に伴って上記案内方向に移動されるための噛合部３２１と、この噛合部３２１に隣接しリードスクリュー２１０の雄ねじ２１１の溝に入り込んでこの雄ねじ２１１に干渉する干渉部３２２と、噛合部３２１と対向して配設されたバネ部３２３とを有する、プラスチックで形成されたキャリッジ３２０が備えられている。リードスクリュー２１０が、キャリッジ３２０の噛合部３２１とバネ部３２３との間で弾性を持って挟持されることによって、噛合部３２１がリードスクリュー２１０に当接するようにバネ付勢されている。従って、フォーカスモータ１１３ｂが駆動してリードスクリュー２１０が回転すると、この回転に伴ってキャリッジ３２０がリードスクリュー２１０に沿って移動する。このキャリッジ３２０は、本発明にいうキャリッジの一例に相当する。また、このキャリッジ３２０は、上記案内方向とは直角な方向に凸設された突起３２４を有している。
【００８５】
また、図６，図７に示すように、このフォーカスレンズ駆動装置３００には、貫通穴３３１を有するストップレバー３３０が、その貫通穴３３１にキャリッジ３２０の突起３２４が挿通されることによって、上記案内方向とは直角な方向に延びる回転軸を持って軸支されている。また、このストップレバー３３０は、回動によりキャリッジ３２０の干渉部３２２をリードスクリュー２１０に押圧してキャリッジ３２０の移動を妨げる押圧部３３２を有する。このストップレバー３３０は、本発明にいうストップレバーの一例に相当する。また、このストップレバー３３０は、フォーカスレンズ保持枠２５０が連結される連結部３３３を有する。
【００８６】
また、図６に示すように、このフォーカスレンズ駆動装置３００には、一方の端部２５１がストップレバー３３０の連結部３３３に連結された、フォーカスレンズ１１３を保持するフォーカスレンズ保持枠２５０が備えられている。このフォーカスレンズ保持枠２５０は、上記一方に対する他方の端部２５２がガイド軸２６０に係合している。このフォーカスレンズ１１３は、本発明にいう光学部材の一例に相当し、このフォーカスレンズ保持枠２５０は、本発明にいう光学部材保持枠の一例に相当する。また、このフォーカスレンズ１１３とフォーカスレンズ保持枠２５０とを合わせたものは、本発明にいう被案内部材の一例に相当する。
【００８７】
通常動作時においては、フォーカスレンズ駆動装置３００が搭載されたデジタルカメラ１００のＣＰＵ１２６からの、例えばフォーカスレンズ１１３を所定の駆動範囲内で移動させる指示に従った指示信号や、フォーカスレンズ１１３を合焦位置に向かわせるための合焦位置の指示に従った指示信号が、モータドライバ１１３ａを介してフォーカスモータ１１３ｂに与えられると、その指示信号に従ってフォーカスモータ１１３ｂが駆動し、リードスクリュー２１０が正回転方向に回転されると、この回転に伴ってキャリッジ３２０はフォーカスモータ１１３ｂに向かう正移動方向に移動し、ストップレバー３３０を介在させてフォーカスレンズ１１３が光軸方向に移動する。また、リードスクリュー２１０が逆回転方向に回転されると、この回転に伴ってキャリッジ２２０はフォーカスモータ１１３ｂから遠ざかる逆移動方向に移動し、この回転に伴ってストップレバー３３０を介在させてフォーカスレンズ１１３が光軸方向に移動する。
【００８８】
第２実施形態のフォーカスレンズ駆動装置３００では、フォーカスレンズ保持枠２５０がストップレバー３３０に連結されているため、デジタルカメラ１００の落下等の衝撃によってフォーカスレンズ１１３を保持するフォーカスレンズ保持枠２５０に強い慣性力（例えば矢印Ａ方向）が作用すると、ストップレバー３３０に上記回転軸のまわりの回転力（例えば矢印Ｂ方向）が与えられて、ストップレバー３３０の押圧部３３２によりキャリッジ３２０の干渉部３２２がリードスクリュー２１０に押圧される。その結果、フォーカスモータ１１３ｂの回転が停止され、キャリッジ３２０の移動も停止される。
【００８９】
以上説明したように、キャリッジ２２０が例えば金属よりも強度が劣るプラスチックからなるものであっても、衝撃を受けた際にストップレバー３３０が回動によりキャリッジ３２０の干渉部３２２をリードスクリュー２１０に押圧させてキャリッジ３２０の移動が妨げられるため、キャリッジ３２０の噛合部３２１がリードスクリュー２１０の雄ねじ２１１を乗り越えたり、キャリッジ３２０の噛合部３２１がリードスクリュー２１０の雄ねじ２１１に乗り上げたり、キャリッジ３２０の噛合部３２１が破損することが確実に防止される。従って、衝撃を受けた際にフォーカスレンズ１１３が動かなくなってしまう等の不具合が回避され、デジタルカメラ１００のフォーカスレンズ１１３駆動における信頼性が向上する。
【００９０】
また、通常動作時にも、フォーカスレンズ１１３を保持するフォーカスレンズ保持枠２５０が移動することによる慣性力によってストップレバー３３０が回動するおそれがあるものの、この場合大きな加速度は発生しないためにストップレバー３３０の回動量は微量であり、キャリッジ３２０の干渉部３２２をリードスクリュー２１０に押圧させる力量も僅かであるため、キャリッジ３２０の移動における負荷が増大することはない。
【００９１】
尚、上述した各実施形態では、プラスチックで形成された噛合部がリードスクリューに噛合した例について説明したが、本発明にいうキャリッジは、これに限られるものではなく、リードスクリューに噛合しこのリードスクリューの回転に伴って移動するものであればよい。
【００９２】
また、上述した各実施形態では、本発明にいう光学部材が、フォーカスレンズである例について説明したが、本発明にいう光学部材は、これに限られるものではなく、例えばズームレンズやフィルタなどであってもよい。
【００９３】
また、上述した各実施形態では、本発明の撮影装置が、デジタルカメラである例について説明したが、本発明の撮影装置は、これに限られるものではなく、例えば銀塩カメラや撮影機能を有する携帯電話などであってもよい。
【００９４】
また、上述した各実施形態では、本発明にいう撮像素子が、ＣＣＤである例について説明したが、本発明にいう撮像素子は、これに限られるものではなく、例えばＣＭＯＳセンサなどであってもよい。
【００９５】
また、上述した各実施形態では、本発明の駆動装置が、フォーカスレンズを移動させるフォーカスレンズ駆動装置である例について説明したが、本発明の駆動装置は、これに限られるものではなく、例えば記録媒体を読み書きする光ピックアップを移動させる光ピックアップ駆動装置など、リードスクリューを用いて、そのリードスクリューに噛合するキャリッジを所定の案内方向に移動させるものであればよい。
【図面の簡単な説明】
【００９６】
【図１】本発明の撮影装置の一実施形態であるデジタルカメラを前面斜め上から見た外観斜視図である。
【図２】図１に示すデジタルカメラを背面斜め上から見た外観斜視図である。
【図３】図１，図２に示すデジタルカメラのブロック図である。
【図４】図３に示すフォーカスレンズを光軸方向に移動させるフォーカスレンズ駆動装置の概略構成図である。
【図５】図４に示すフォーカスレンズ駆動装置におけるストップレバーの分解斜視図である。
【図６】本発明の第２実施形態であるフォーカスレンズ駆動装置の概略構成図である。
【図７】図６に示すフォーカスレンズ駆動装置におけるリードスクリューとキャリッジとストップレバーの分解斜視図である。
【符号の説明】
【００９７】
１００    デジタルカメラ
１００ａ    筐体
１０１    撮影レンズ
１０２    光学式ファインダ対物窓
１０３    閃光発光装置
１０４    電源ボタン
１０５    シャッタレリーズボタン
１０６    光学式ファインダ接眼窓
１０７１    メニューボタン
１０７２    ズーム操作キー
１０７２ａ，１０７２ｂ    操作部
１０７３    十字キー
１０７４    実行ボタン
１０８    ＬＣＤパネル
１１１    ズームレンズ
１１１ａ    モータドライバ
１１１ｂ    ズームモータ
１１２    アイリス
１１２ａ    モータドライバ
１１２ｂ    絞りモータ
１１３    フォーカスレンズ
１１３ａ    モータドライバ
１１３ｂ    フォーカスモータ
１１４    ＣＣＤ
１１４ａ    タイミングジェネレータ
１２１    ＣＤＳ−ＡＭＰ
１２２    Ａ／Ｄ変換部
１２３    メモリコントローラ
１２４    ＡＦ値判断部
１２５    画像信号処理部
１２６    ＣＰＵ
１２７    ＡＦ検出部
１２８    ビデオエンコーダ
１２９    メディアコントローラ
１３０    ＲＯＭ
１３１    Ｅ２ＰＲＯＭ
１３２    ＲＡＭ
１４０    画像表示装置
１５０    記憶メディア
１６１    シャタスイッチ
１６２    電源スイッチ
１６３    メニュースイッチ
１６４    十字キースイッチ
２００，３００    フォーカスレンズ駆動装置
２１０，    リードスクリュー
２１１    雄ねじ
２２０，３２０    キャリッジ
２２１，３２１    噛合部
２２２，３２３    バネ部
２２３    ボルト穴
２２４    突起
３２２    干渉部
３２４    突起
２３０，３３０    ストップレバー
２３１，３３１  貫通穴
２３２    突起
２３３    干渉部
２３４，３３３    連結部
３３２    押圧部
２４１    捩りバネ
２４２    ボルト
２５０    フォーカスレンズ保持枠
２５１    一方の端部
２５２    他方の端部
２６０    ガイド軸
【図１】
2008046480.tif 000003
【図２】
2008046480.tif 000004
【図３】
2008046480.tif 000005
【図４】
2008046480.tif 000006
【図５】
2008046480.tif 000007
【図６】
2008046480.tif 000008
【図７】
2008046480.tif 000009